(57)【特許請求の範囲】
【請求項１】
紙載置台２と、
前記紙載置台２の端部に配され、表面側を前記紙載置台２の上面と略面一にし、裏面側に案内レール４を設けた直線状の長尺な固定刃５と、
該固定刃５に接しながら摺動する回転丸刃６を、回転軸を前記固定刃５の表面よりも上方側に位置させて保持する回転刃ホルダー７と、
該回転刃ホルダー７を、前記固定刃５の上方から該固定刃５を越えて下方に位置するように取り付けた状態で、前記案内レール４に支持されて摺動するスライダ８と、
前記固定刃５の長尺方向と略平行に配設され、該固定刃５の表面に対して接離可能に配された紙押え板１０と、
前記スライダ８を切断方向とは逆方向に戻るよう付勢する定荷重バネ２７と、からなり、
該定荷重バネ２７の引っ張り力に抗して前記スライダ８を移動させることで、前記回転丸刃６が前記固定刃５に接しながら摺動し、前記紙載置台２と前記紙押え板１０との間で挟持された切断紙を裁断する紙裁断機であって、
前記スライダ８に、前記固定刃５の上方から該固定刃５を越えて下方に位置するようにアーム９を取り付け、
該アーム９の切断方向後方に把手１２を設けると共に、前記紙押え板１０を前記固定刃５方向に押圧する押圧部材１６を、前記回転丸刃６と前記固定刃５との切断位置よりも切断方向前方に配設したことを特徴とする紙裁断機。
【請求項２】
前記紙押え板１０が透明であることを特徴とする請求項１に記載の紙裁断機。
【発明の詳細な説明】
【技術分野】
【０００１】
本発明は、手動により回転丸刃を固定刃に沿って摺動させ、紙載置台上に載置した切断紙を切断する紙裁断機に関する。
【背景技術】
【０００２】
従来から、手動により回転丸刃を固定刃に沿って摺動させ、紙載置台上に載置した切断紙を切断する紙裁断機が用いられている。これらの紙裁断機において、回転丸刃を回転自在に支持する回転刃ホルダーは、紙載置台上方に配設した案内レールに沿って摺動する構成となっていた。
【０００３】
従来から用いられている紙裁断機としては、本願出願人に係わる紙裁断機（特許文献１参照。）などがある。図９には、特許文献１に記載された紙裁断機の全体斜視図を示し、図１０には、図９のＢ−Ｂ断面図を示している。
【０００４】
図９に示すように、紙載置台５１の一端部側にはスライダ５３を摺動案内するレール５２が配設されている。レール５２の両端は、紙載置台５１に固定された支持部材５４及び５５により上下動可能に設けられている。レール５２の下側に位置して紙押え板５６がレール５２とは独立して紙載置台５１に対して垂直方向に上下動可能に設けられている。レール５２にはスライダ３５が摺動自在に装着されている。
【０００５】
図１０に示すように、スライダ５３はレール５２に嵌合されてスライド可能に配設され、スライダ５３により回転可能に支持した回転丸刃５７の側面が紙押え板５６の側縁に接するように配設されている。また、回転丸刃５７の刃が当たる紙載置台５１には回転丸刃５７の刃先を保護するためのラバー５８が設けられている。
【０００６】
スライダ５３を押圧すると、レール５２は支持部材５４、５５により紙載置台５１に対して平行に下降するとともに、紙押え板５６を下降させ紙押え板５６と紙載置台５１との間に切断紙を挟持することができる。この状態でスライダ５３をレール５２に沿って摺動させると、紙押え板５６と紙載置台５１との間に挟持した切断紙を回転丸刃５７により切断することができる。
【０００７】
スライダ５３の押圧を解除すると、レール５２は図示せぬ駆動機構により上方に移動する。このとき、紙押え板５６は図示せぬ案内部材に案内されながら図示せぬストッパ部材がレール５２に当接するまで、圧縮バネ５９により紙載置台５１に対して垂直方向に上昇し、紙載置台５１の上面と紙押え板５６とが平行になってその間に間隙が形成できるように構成されている。
【特許文献１】特開平５−２４５７９４号公報
【発明の開示】
【発明が解決しようとする課題】
【０００８】
従来の手動により紙載置台上に載置した切断紙を切断する紙裁断機では、回転丸刃を支持したスライダを摺動させるのに、紙載置台上にレールを設けなければならなかった。このため、紙載置台上の視界がレールによって妨げられ、切断位置を正確に把握できないという問題があった。また、紙裁断機として高さも嵩張り、重量が重くなっていた。
【０００９】
特に、紙載置台の端部に配された長尺な固定刃と、該固定刃に接しながら摺動する回転丸刃とによって切断する構造の紙裁断機において、紙載置台上のレールを廃すべく、固定刃の裏面側にレールを設け、そのレールにスライダを支持させた構造を採用した場合にあっては、切断時のレールの位置と回転丸刃による切断位置とが離れているため、スライダの摺動方向に直交する方向でのスライダとレールとの間における微小なブレは、回転丸刃の切断位置において拡大されたブレとなり、切断ブレの原因ともなっていた。
【００１０】
本願発明は、簡単な構造でありながら回転丸刃の切断位置でのブレを防止し、しかも、紙裁断機における高さの嵩張りの防止や、重量の軽減を図ることのできる紙裁断機を提供することにある。
【課題を解決するための手段】
【００１１】
本願発明の課題は、以下の発明により達成することができる。
即ち、紙載置台と、前記紙載置台の端部に配され表面側を前記紙載置台の上面と略面一にし裏面側に案内レールを設けた直線状の長尺な固定刃と、該固定刃に接しながら摺動する回転丸刃を回転軸を前記固定刃の表面よりも上方側に位置させて保持する回転刃ホルダーと、該回転刃ホルダーを前記固定刃の上方から該固定刃を越えて下方に位置するように取り付けた状態で前記案内レールに支持されて摺動するスライダと、前記固定刃の長尺方向と略平行に配設され該固定刃の表面に対して接離可能に配された紙押え板と、前記スライダを切断方向とは逆方向に戻るよう付勢する定荷重バネと、からなり、該定荷重バネの引っ張り力に抗して前記スライダを移動させることで、前記回転丸刃が前記固定刃に接しながら摺動し、前記紙載置台と前記紙押え板との間で挟持された切断紙を裁断する紙裁断機であって、前記スライダに、前記固定刃の上方から該固定刃を越えて下方に位置するようにアームを取り付け、該アームの切断方向後方に把手を設けると共に、前記紙押え板を前記固定刃方向に押圧する押圧部材を、前記回転丸刃と前記固定刃との切断位置よりも切断方向前方に配設したことを、最も主要な特徴となしている。
【００１４】
この場合、前記紙押え板は透明であってもよい。
【発明の効果】
【００１５】
本願発明では、案内レールと回転丸刃による切断位置とを近接して配設することができるので、スライダと案内レールとの間におけるブレの影響が、回転丸刃の切断位置に対して与える影響を小さくすることができ、直線度の高い切断が可能となる。
【００１６】
しかも、案内レールが紙載置台内に配設することができるので、紙裁断機本体を薄型に構成することができ、しかも、紙裁断機自体の重量も軽量化させることができる。このため、携帯に便利な、しかも高精度での切断を可能とした紙裁断機を提供することができる。
【００１７】
また、スライダには、回転刃ホルダーとアームとが別個に取り付けられているので、アームとして金属材料等を用いることで、スライダを摺動させるアームの強度を向上させることもできる。この場合において、把手をアームに設けることにより、スライダ及び回転刃ホルダーを摺動させるのを、強度の高いアームを指で挟持し、水平方向に移動させるだけで行えるので、摺動時のブレ等を防止することができる。
【００１８】
また、固定刃を跨いでいるアームの部位の形状を、固定刃の移動軌跡から離れた形状に形成することができる。このため、切断開始位置への戻り時において、アームが切断紙の端縁に当接してしまうのを防止することができる。
【００２０】
また、アームに設けられる押圧部材の位置を、回転丸刃と前記固定刃とによる切断位置よりも切断方向前方側に配設する一方で、切断位置の後方に把手を配設したことによって、把手を切断方向前方に操作してスライダを摺動させた際に押圧部材が押し下げられる。このように、スライダの摺動操作を行なう際に把手に加えられる力を、紙押え板への垂直方向の安定した押圧力に変換することが可能となるので、紙押え板により切断紙をしっかりと確実に固定することができる。しかも、回転丸刃と前記固定刃とによる切断位置の前方側で紙押え板を押圧するので、切断紙をしっかりと固定された状態で回転丸刃と固定刃とによる切断を行わせることができる。このため、切断中に切断紙がずれたりするのを防止することが確実に防止できる。
【００２１】
押圧部材としては、押圧ローラとして構成することも、例えば、半球状の突起や、回動自在とした球状体などにより構成することができる。押圧部材としては、スライダを案内レールに沿って摺動させたときに押圧部材の当接部と紙押え板との間で摺動抵抗を生じさせない構成であれば、多様な構成を採用することができる。
【００２２】
また、板バネを用いて押圧ローラに対して紙押え板側への付勢力を付加する構成とすることもできる。これにより、紙押え板と切断紙との接地面積を広く構成することができ、紙ズレをより確実に防止することができる。
【００２３】
把手をアームに形成したことによって、把手の形状を手動にて操作し易い形状に構成することが容易になる。しかも、把手とスライダ、回転刃ホルダーとを別体にて構成することが可能となり、それぞれの設計の自由度を向上させることができる。
【００３０】
本発明は、定荷重バネを用いて回転刃ホルダー、アーム及びスライダを初期位置に戻す構成とする。これにより、把手を水平方向に押圧して摺動させ、回転丸刃と固定刃とによる切断が終了した後、把手を解放すれば回転刃ホルダー、アーム及びスライダを初期位置に自動的に戻すことができる。
【００３１】
しかも、定荷重バネを用いているので、回転刃ホルダー、アーム及びスライダが初期位置に戻るときには、一定の荷重で引っ張られることになり、たとえ紙裁断機の裁断幅が長くなったとしても、常に所定の速度で戻すことができる。また、切断紙の切断時に、スライダ等を摺動させる押圧力は小さく一定になる。
【００３２】
請求項２に係る発明は、紙押え板を透明な板にて構成したことで、請求項１の発明の効果に加え、例えば、切断紙として写真が現像又は印刷された印画紙を用いる場合において、紙押え板を透して余白の幅を見ながら調整することができる。即ち、写真の縁を基準にして目盛り線などと重ね合わすことにより、重ね合わせた位置から固定刃までの長さにより、余白の長さを調整することができる。
【発明を実施するための最良の形態】
【００３３】
本発明の好適な実施の形態について、添付図面に基づいて以下において具体的に説明する。尚、本発明は、以下に説明する実施例に限定されるものではなく、多様な変更が可能である。
【実施例】
【００３４】
図１では、本願発明に係わる紙裁断機１の全体斜視図を示し、図２では、紙裁断機１の主要構成部材を分解した全体構成図を示している。図３、図４は、紙裁断機１の一端側を省略した斜視図を示し、図５、図７には、紙押え押圧部１５の要部斜視図をそれぞれ別の角度から見た図として示している。図８は、補助紙載置台２２の展開回動を説明する図である。
【００３５】
図１に示すように紙裁断機１は紙載置台２の端部において、表面側を紙載置台２の上面と略同一面とし、裏面側に案内レール４を取り付けた長尺の固定刃５が設けられている。固定刃５の表面側には、紙押え板１０が配設されている。そして、紙押え板１０の両端部には、その長手方向に長く、幅方向にはツバ付カラー部材２６の径と略同じか多少小さな幅とした長孔が穿孔されている。紙押え板１０は、その両端部がツバ付カラー部材２６を介してネジ２６ａにより紙載置台２に遊嵌固定されている。
【００３６】
即ち、固定刃５と略平行に配設された長尺の紙押え板１０を、その両端部において紙載置台２に遊嵌固定したことで、固定刃５の表面に対して接離可能となる。これによって、紙押え板１０をツバ付カラー部材２６のツバ方向に持ち上げることにより、紙押え板１０と紙載置台２との間に間隙を形成することができる。
紙押え板１０は、後述するスライダ８のアーム９に設けられた紙押え押圧部１５によって押圧されることで、紙載置台２との間で切断紙を挟持するものであるが、紙押え押圧部１５の押圧部材１６を回転丸刃６による切断位置よりも切断方向前方に配設する一方で、回転丸刃６による切断位置よりも後方に把手１２を配設したことで、把手１２を切断方向前方に向けて操作した際に、回転丸刃６を中心とするモーメントによって押圧部材１６が押し下げられ、紙押え板１０を介して紙載置台２上の裁断紙を押圧することが可能となる。紙押え板１０は、その両端部において紙載置台２に遊嵌固定されているので、把手１２が操作されないときは、紙押え板１０を持ち上げることによって、紙載置台２との間に、切断紙を挿入するための間隙を形成することができる。
また、紙押え板１０における固定刃５とは反対側の端縁は、紙載置台２上に載置した切断紙を挿入し易くガイドするため、挿入口を開口させた傾斜面に形成されている。また、図２に示すように、紙押え板１０は透明な板にて構成され、同紙押え板１０の表面側又は裏面側に、固定刃５の切断線と平行な目盛り１０ａが形成されている。
【００３７】
尚、図示例では、目盛り１０ａは図２においてのみ記載し、他の図面における紙押え板１０においては、目盛りの記載を省略している。紙押え板１０に形成した目盛り１０ａに、例えば、写真の印画紙における写真の縁を目盛り１０ａの線に合わせることで、写真の周りに形成する余白の幅を任意に調整することができる。即ち、写真の縁を固定刃５の切断縁から所定距離だけ離した位置で同写真を印刷した印画紙を切断することで、写真の周りの余白の幅を前記写真の縁を固定刃５の切断縁から所定距離に応じて形成することができる。
【００３８】
紙載置台２の両側縁には、支持部材１３ａ、１３ｂが配設され、案内レール４に沿って摺動する紙押え押圧部１５等の抜け止めを構成している。また、各支持部材１３ａ、１３ｂの端面は、それぞれカバー１４によって被覆されている。紙載置台２の一側縁側には、切断紙の片側位置を規制するガイド片３が、ネジ２４により固定されている。
【００３９】
図２を中心にして、紙裁断機１の各構成部材について更に説明する。ガイド片３の一端部には凹部３ａが形成されている。また、ガイド片３に形成されたネジ２４が挿入される孔２３ａ〜２３ｃは、孔２３ａと孔２３ｃとが長孔として形成されている。ネジ２４を緩めて、図３に示す凹部３ａを押圧することにより、ガイド片３は、孔２３ｂに挿入したネジ２４を中心として回動することができ、ガイド片３のガイド方向を調整することができる。ガイド片３のガイド方向を調整した後、各ネジ２４を締め付けることにより、図３に示すようにガイド片３を調整したガイ方向に固定することができる。
【００４０】
固定刃５は、Ｌ字状断面形状を有し、Ｌ字状の上面を紙載置台２の上面と略面一にして図示せぬネジ等により紙載置台２に固定されている。固定刃５の裏面側には、略コ字状の案内レール４が図示せぬネジ等により固定されている。固定刃５の下部には、ダストトレイ２５が紙載置台２の端部に取り付けられている。紙載置台２に対する固定刃５、案内レール４及びダストトレイ２５の配設構造は、支持部材１３ａを省略して示した図３において詳細に示している。
【００４１】
紙載置台２の両側端縁には、支持部材１３ａ、１３ｂが取り付けられ、各支持部材１３ａ、１３ｂの端面には、カバー１４が取り付けられている。各支持部材１３ａ、１３ｂの一端部には支軸３０が形成され、紙載置台２の裏面側に収納自在に配設した補助紙載置台２２の端部に形成した回動孔３１に前記支軸３０が挿入されている。左右の支持部材１３ａ、１３ｂとカバー１４のうち一方の支持部材及びカバー１４を省略して示した図３、図４においては、紙載置台２に補助紙載置台２２を収納した状態を示している。
【００４２】
これにより、補助紙載置台２２は、図８（ａ）、（ｂ）に示すように、紙載置台２に対して回動展開（図８（ｂ）の状態）及び回動収納（図１の状態）させることができる。図８（ｂ）に示すように、補助紙載置台２２のフランジ部には、係止片２２ａが形成され、フランジ部２２ｂが取り付けられている。同係止片２２ａと紙載置台２の裏面側に形成した図示せぬ係止片との係合により、補助紙載置台２２は紙載置台２内に収納固定することができる。
【００４３】
また、補助紙載置台２２が紙載置台２に収納された状態で、支持部材１３ａ、１３ｂに形成した切り欠１３ｃから露呈したフランジ部２２ｂを押圧することで、係止片２２ａと紙載置台２の裏面側に形成した係止片との係合状態を解除することができる。
【００４４】
図２に示すように、案内レール４の溝にはスライダ８を摺動自在に配設される。特に、図２、図４、図５に示すように、スライダ８には、回転刃ホルダー７の取付部７ａ及びアーム９がネジ等を介して取り付けられる。
即ち、アーム９は固定刃５を跨いで、固定刃５の裏面側に配したスライダ８と結合し、回転刃ホルダー７はアーム９とは別体で、固定刃５を跨いで、固定刃５の裏面側に配したスライダ８と結合している。
【００４５】
回転刃ホルダー７には、回転丸刃６が回転自在に支持されている。回転丸刃６の回転軸は、固定刃５の上面よりの上方に配設される。これにより、回転丸刃６の切断時、固定刃５と紙押え板１０との間で挟持した切断紙を回転丸刃６によりダウンカットすることができる。
【００４６】
アーム９には、紙押え板１０を押圧する紙押え押圧部１５が設けられている。紙押え押圧部１５は、特に、図２に示すように、上カバー２０ａ内に構成され、押圧ローラ１６、同押圧ローラ１６を回転自在に支持するローラホルダー１６ａ、ローラホルダー１６ａを紙押え板１０側にバネ付勢する板バネ１７から構成されている。ローラホルダー１６ａは、板バネ１７を介してアーム９に取り付けられる。
上カバー２０ａは、紙押え押圧部１５を収容した状態で、アーム９に取り付けられている。この上カバー２０ａに、回転刃ホルダー７を保持した状態の下カバー２０ｂを取り付けることで、回転刃ホルダー７を、固定刃５の上方から該固定刃５を越えて下方に位置するようにスライダ８に取り付けることが可能となる。
【００４７】
図５に示す回転刃ホルダー７は、図６に示すように、上下一対のカバー２０ａ、２０ｂ内に収納されている。また、押圧部材１６による紙押え板１０の押圧部位は、回転丸刃６と固定刃５との切断位置よりも、回転丸刃６の切断方向前方に構成されている。これにより、切断位置の前方で紙押え板１０を押圧しながら、回転丸刃６と固定刃５とにより、切断紙の切断を行うことができ、切断における切断紙の位置ずれ等を確実に防止することができる。
【００４８】
下カバー２０ｂにおける固定刃５を跨ぐ部位には、図６に示すように回転丸刃６により切断した切断片を外部に逃がす傾斜部１９が形成されている。回転丸刃６と固定刃５とにより切断された切断片は、傾斜部１９の傾斜面に沿いながら下方に排出され、案内レール４の下方に配設したダストトレイ２５（図３参照。）内に収納される。
【００４９】
上カバー２０ａには、把手１２が形成されている。また、同把手１２の周縁部には、同把手１２を押圧操作する手等との接触状態を良好にするラバー部１２ａが配設されている。
【００５０】
把手１２を水平方向に移動させることにより、図４に示すように定荷重バネ２７を引き出しながら上下一対のカバー２０ａ、２０ｂ等を案内レール４に沿って摺動させることができる。これにより、回転丸刃６と固定刃５とにより、固定刃５と紙押え板１０との間に挟持した切断紙を切断することができる。
【００５１】
また、特に図４で示すように、スライダ８には、スライダ８を回転丸刃６の切断開始の初期位置側に戻るように付勢する定荷重バネ２７が取り付けられる。定荷重バネ２７は、ピン２９を介して定荷重バネホルダー２８に支持され、同定荷重バネホルダー２８は、支持部材１３ｂに配設されている。
【００５２】
切断紙の切断が終了したときには、把手１２を開放することで、上下一対のカバー２０ａ、２０ｂ等を定荷重バネ２７により、自動的に切断開始位置に戻すことができる。上下一対のカバー２０ａ、２０ｂ等は、スライダ８に連結した定荷重バネ２７の引張り力に抗して切断方向に押圧摺動することになるが、前記定荷重バネ２７による引張り力は、上下一対のカバー２０ａ、２０ｂ等の切断方向への摺動移動量に係わらず常に一定の引張り力となっている。
【００５３】
このため、切断幅が広い紙裁断機においても、切断方向への移動量が大きくなるにつれて、引張り力が増大することなく、常に一定のしかも軽い押圧力で上下一対のカバー２０ａ、２０ｂ等を切断方向に摺動させることができる。また、上下一対のカバー２０ａ、２０ｂ等が定荷重バネ２７の引張り力によって自動的に切断開始位置に戻る場合においても、上下一対のカバー２０ａ、２０ｂ等が急激に戻されることがなく、一定のスピードで戻すことができる。
【産業上の利用可能性】
【００５４】
本願発明は、紙裁断機と同様な構成を有する装置等に本願発明の技術を適用することができる。
【図面の簡単な説明】
【００５５】
【図１】紙裁断機の全体斜視図である。（実施例）
【図２】紙裁断機の全体図を示した分解図である。（実施例）
【図３】一方の支持部材を省略した紙裁断機の斜視図である。（実施例）
【図４】他方の支持部材を省略した紙裁断機の斜視図である。（実施例）
【図５】回転丸刃と固定刃との切断部周辺を示した要部斜視図である。（実施例）
【図６】回転丸刃と固定刃との切断部周辺を示した要部拡大斜視図である。（実施例）
【図７】紙押え板と紙押え押圧部との関係を示した要部斜視図である。（実施例）
【図８】補助紙載置台の作動を説明する図である。（実施例）
【図９】紙裁断機の全体斜視図である。（従来例）
【図１０】図９のＢ−Ｂ断面図である。（従来例）
【符号の説明】
【００５６】
１          紙裁断機
２          紙載置台
３          ガイド片
３ａ        凹部
４          案内レール
５          固定刃
６          回転丸刃
７          回転刃ホルダー
７ａ        取付部
８          スライダ
９          アーム
１０          紙押え板
１０ａ        目盛り
１２          把手
１２ａ        ラバー部
１３ａ、ｂ    支持部材
１３ｃ        切り欠
１４          カバー
１５          紙押え押圧部
１６          押圧ローラ
１６ａ        ローラホルダー
１７          板バネ
１８          ピン
１９          傾斜部
２０ａ        上カバー
２０ｂ        下カバー
２２          補助紙載置台
２２ａ        係止片
２２ｂ        フランジ部
２３ａ、ｂ、ｃ    孔
２４          ネジ
２５          ダストトレイ
２６          ツバ付カラー部材
２６ａ        ネジ
２７          定荷重バネ
２８          定荷重バネホルダー
２９          ピン
３０          支軸
３１          回動孔
５１          紙載置台
５２          レール
５３          スライダ
５４、５５    支持部材
５６          紙押え板
５７          回転丸刃
５８          ラバー
５９          圧縮バネ
【図１】
0004947904.tif 000002
【図２】
0004947904.tif 000003
【図３】
0004947904.tif 000004
【図４】
0004947904.tif 000005
【図５】
0004947904.tif 000006
【図６】
0004947904.tif 000007
【図７】
0004947904.tif 000008
【図８】
0004947904.tif 000009
【図９】
0004947904.tif 000010
【図１０】
0004947904.tif 000011